(57)【特許請求の範囲】
【請求項１】
スプリングユニットと、
このスプリングユニットの上下面の少なくとも上面に積層された弾性部材と、
上記スプリングユニットと弾性部材との積層体を被覆した外装体と
を具備し、
上記スプリングユニットは、多数の樽形コイルスプリングを行列状に配置するとともに隣り合う樽形コイルスプリングを互いの巻き線方向が逆向きになるよう配置し、隣り合う樽形コイルスプリングの軸線方向中途部の巻き線を連結部材で連結して形成されていることを特徴とするマットレス装置。
【請求項２】
上記スプリングユニットの上下面の少なくとも一方の面の周縁部には、長手方向中途部の少なくとも一部を除く部分に枠線が設けられていることを特徴とする請求項１記載のマットレス装置。
【請求項３】
上記弾性部材には、上記スプリングユニットと接合する面に、このスプリングユニットの各樽形コイルスプリングの端部が入り込む凹部が形成されていることを特徴とする請求項１記載のマットレス装置。
【発明の詳細な説明】
【０００１】
【発明の属する技術分野】
この発明は起床式ベッドに用いるのに好適するマットレス装置に関する。
【０００２】
【従来の技術】
一般に、マットレス装置は、多数のコイルスプリングを行列状に配置し、隣り合うコイルスプリングの上下端面部をそれぞれヘリカル線によって結合して形成された矩形状のスプリングユニットを有する。
【０００３】
上記スプリングユニットの上下面の少なくとも上面にはシ−ト状の弾性材を積層し、その積層体を袋状に縫製された布製の外装体によって被覆することで上記マットレス装置が構成される。
【０００４】
上記スプリングユニットの上下面周縁部には、コイルスプリングの連結度合が少ない周辺部に位置するコイルスプリングを補強したり、マットレスの外形状を維持するなどのために、硬い線材によって形成された枠線を設けるようにしている。
【０００５】
このように構成されたマットレス装置は、ベッドの基体に設けられた床板上に載置して用いられる。ベッドには、病人や老人などのように自力で起き上がることが困難な人が利用する、いわゆる起床式ベッドがある。
【０００６】
起床式ベッドは床板が複数の床部に分割され、各床部のうち、利用者の背部に対応する床部、つまり背上げ床部が回動自在に設けられている。この背上げ床部は駆動装置によって起伏駆動される。したがって、上記床板上にマットレス装置を介して仰臥した利用者は、背上げ床部が起上方向に駆動されることで、上半身が起されるようになっている。
【０００７】
このような起床式ベッドに用いられるマットレス装置は、上記床板の背上げ床部の起上に応じて屈曲する構造でなければならない。しかしながら、上述したようにスプリングユニットは、矩形状に配置されたコイルスプリングの隣り合う上下の端面部がヘリカル線によって結合されている。
【０００８】
したがって、利用者の上半身を起すために背上げ床部を起上方向に駆動すると、それにともなって屈曲されるマットレス装置のスプリングユニットには、厚さ方向下面側に大きな引張力が発生するから、その引張力に対し隣り合うコイルスプリングの端面を結合したヘリカル線に大きな抗力が生じる。そのため、背上げ床部を起上させても、上記スプリングユニット、つまりマットレス装置を円滑に屈曲させることができないということがある。
【０００９】
しかも、スプリングユニットを屈曲させる際、その上面側は隣り合うコイルスプリングの端面がぶつかるため、そのこともマットレス装置を円滑に屈曲させることのできない原因となる。さらに、スプリングユニットの上下面の周縁部に枠線が設けられているため、その枠線もマットレス装置の円滑な屈曲を阻止するということがあった。
【００１０】
【発明が解決しようとする課題】
このように、従来のマットレス装置は、行列状に配置されたコイルスプリングの隣り合う端面をヘリカル線によって結合し、しかもスプリングユニットの上下面周縁部には枠線を取付けてスプリングユニットを形成していたので、このスプリングユニットによって構成されたマットレス装置を起床式ベッドに用いた場合などには、床板の起上にともなって円滑に屈曲させることができないということがあった。
【００１１】
この発明の目的は、たとえば起床式ベッドなどに用いた場合に、床板の起上に応じて円滑に湾曲させることができるようにしたマットレス装置を提供することにある。
【００１２】
【課題を解決するための手段】
請求項１の発明は、スプリングユニットと、
このスプリングユニットの上下面の少なくとも上面に積層された弾性部材と、
上記スプリングユニットと弾性部材との積層体を被覆した外装体と
を具備し、
上記スプリングユニットは、多数の樽形コイルスプリングを行列状に配置するとともに隣り合う樽形コイルスプリングを互いの巻き線方向が逆向きになるよう配置し、隣り合う樽形コイルスプリングの軸線方向中途部の巻き線を連結部材で連結して形成されていることを特徴とするマットレス装置にある。
【００１３】
請求項２の発明は、請求項１の発明において、上記スプリングユニットの上下面の少なくとも一方の面の周縁部には、長手方向中途部の少なくとも一部を除く部分に枠線が設けられていることを特徴とするマットレス装置にある。
【００１４】
請求項３の発明は、請求項１の発明において、上記弾性部材には、上記スプリングユニットと接合する面に、このスプリングユニットの各樽形コイルスプリングの端部が入り込む凹部が形成されていることを特徴とするマットレス装置にある。
【００１５】
請求項１の発明によれば、スプリングユニットを、樽形コイルスプリングを行列状に配置するとともに隣り合う樽形コイルスプリングの軸線方向中途部を連結部材で連結して形成したことで、隣り合う樽形コイルスプリングは連結箇所を支点として上下の端面がそれぞれぶつかるまでの範囲で揺動可能となるから、その範囲内でスプリングユニットを屈曲させることができる。
【００１６】
請求項２の発明によれば、スプリングユニットの上下面の周縁部の長手方向中途部の少なくとも一部を除く部分に枠線を設けたことで、上記枠線によってスプリングユニットの所定の部位での屈曲性を損なうことなく、周辺部の形状や硬さの維持を計ることができる。
【００１７】
請求項３の発明によれば、スプリングユニットに積層される弾性部材に樽形コイルスプリングの端部が入り込む凹部を形成したことで、樽形コイルスプリングが軸線方向の中途部だけしか連結されていなくとも、上記弾性部材によって軸線方向と交差する方向に不要に揺れ動くのを阻止することができる。
【００１８】
【発明の実施の形態】
以下、この発明の実施の形態を図面を参照して説明する。
図１乃至図５はこの発明の第１の実施の形態を示し、図５は起床式ベッド１を示している。この起床式ベッド１は、矩形枠状に形成され、長手方向一端にヘッドボ−ド２ａ、他端にフットボ−ド２ｂが設けられた基体２を備えている。この基体２の下面四隅部には、基体２を走行自在に支持したストッパ付きのキャスタ３が設けられ、上面には長手方向に対して複数に分割された床板４が設けられている。この実施の形態では、上記床板４は第１乃至第４の４つの床板部４ａ〜４ｄに分割されている。
【００１９】
床板４の、上記ヘッドボ−ド２ａ側から２枚目の第２の床板部４ｂは基体２の幅方向に架設された２本の横桟５のうちの一方に固定されている。この床板部４ｂの両端には第１の床板部４ａと第３の床板部４ｃとが枢着され、この第３の床板部４ｃには第４の床板部４ｄが枢着されている。
【００２０】
上記一対の横桟５には、その長手方向に所定間隔で離間したそれぞれ一対のア−ム６（一方のみ図示）の一端が固着されている。各横桟５の一対のア−ム６には第１の軸７と第２の軸８とが回動自在に支持されている。ヘッドボ−ド２ａ側に位置する第１の軸７には第１のレバ−９の一端が固着され、第２の軸８には第２のレバ−１１の一端が固着されている。各レバ−９、１１の他端にはロ−ラ１２が回転自在に設けられている。
【００２１】
第１のレバ−９に設けられたロ−ラ１２は第１の床板部４ａの下面に設けられた第１の斜面１３に転接し、第２のレバ−１１に設けられたロ−ラ１２は第３の床板部４ｃの下面に設けられた第２の斜面１４に転接している。さらに、第４の床板部４ｄの下面には第３のレバ−１５の一端が枢着されている。この第３のレバ−１５の他端は上記基体２に枢着されている。
【００２２】
上記基体２の下面側には鎖線で示す駆動装置１６が設けられている。この駆動装置１６は、上記第１の軸７と第２の軸８とを回動駆動する。第１の軸７が矢印で示す時計方向に駆動されれば、それに連動する第１のレバ−９によって床板４の第１の床板部４ａが起立方向に駆動され、第２の軸８が矢印で示す反時計方向に駆動されれば、それに連動する第２のレバ−１１によって第３の床板部４ｃが起立方向に駆動される。この第３の床板部４ｃに連動して第４の床板部４ｄも起立方向に駆動され、第３の床板部４ｃとでほぼ山形状をなすよう、上記第３のレバ−１５によって保持されている。
【００２３】
このような構成の起床式ベッド１の床板４上にはこの発明に係わるマットレス装置２０が載置される。このマットレス装置２０は、図２と図３に示すように平面形状が矩形状をなした、スプリングユニット２１を備えている。このスプリングユニット２１は図４に示すように軸線方向中途部が両端部に比べて大径に形成された多数の樽形コイルスプリング２２を行列状に配置して平面形状が矩形状をなしている。
【００２４】
上記スプリングユニット２１の長手方向において隣り合う樽形コイルスプリング２２の軸線方向中途部は、連結部材としてのヘリカル線２３によって上記スプリングユニット２１の幅方向に沿って連結されている。
【００２５】
スプリングユニット２の隣り合う樽形コイルスプリング２２をヘリカル線２３で連結する場合、隣り合う樽形コイルスプリング２２の巻線の一部を同じ高さとしなければ連結できない。そのため、図１に示すように隣り合う樽形コイルスプリング２２を互いの巻線方向が逆向きになるよう配置することで、軸線方向中途部において巻線の一部が同じ高さにし、その部分を上記ヘリカル線２３によって連結している。
【００２６】
なお、ヘリカル線２３による樽形コイルスプリング２２の連結は、スプリングユニット２１の幅方向において隣り合う樽形コイルスプリング２２の軸線方向中途部を、スプリングユニット２１の長手方向に沿って連結してもよい。
【００２７】
上記スプリングユニット２１の上下面の周縁部には、枠線２４がスプリングユニット２１の周辺部に位置する樽形コイルスプリング２２の上下端面に図示しないクリップで連結されている。
【００２８】
上記枠線２４は、図３（ａ）に示すように一対のコ字状部２４ａと一対の直杆部２４ｂとからなり、それによってスプリングユニット２１の長手方向両側中途部には一対のコ字状部２４ａの両端と直杆部２４ｂの両端との間に枠線２４が設けられていない２箇所の開放部２５が形成されている。
【００２９】
スプリングユニット２１の上下面周縁部に枠線２４を設けることで、このスプリングユニット２１の周縁部が補強される。しかも、枠線２４はスプリングユニット２１の長手方向両側では連続しておらず、少なくとも中途部の一部が枠線２４が設けられていない開放部２５に形成されているから、スプリングユニット２１は上記開放部２５の箇所で屈曲させることができる。
【００３０】
また、上記枠線２４は、図３（ｂ）に示すように一対のコ字状部２４ａだけとし、スプリングユニット２１の長手方向両側中途部のコ字状部２４ａの両端間の全長を枠線２４が設けられていない開放部２５に形成してもよい。
【００３１】
上記スプリングユニット２１の上下面には不織布や軟質な合成樹脂シ−トなどの保護シ−ト２６と、ウレタンフォ−ムなどのシ−ト状の弾性部材２７とが順次積層されている。
【００３２】
上記保護シ−ト２６は、上記スプリングユニット２１の上下面、つまり樽形コイルスプリング２２の上下端面に接着剤によって固定したり、その周辺部をスプリングユニット２１の周辺部に位置する樽形コイルスプリング２２の上下端面にクリップで連結してもよい。
【００３３】
保護シ−ト２６を上述した手段でスプリングユニット２１に一体的に結合すれば、樽形コイルスプリング２２がヘリカル線２３によって軸線方向中途部だけしか連結されていなくとも、各樽形コイルスプリング２２が軸線方向と交差する方向に振れるのを抑制することができる。
【００３４】
上記スプリングユニット２１、保護シ−ト２６および弾性部材２７の重合体は外装体２８によって被覆されている。この外装体２８は上記スプリングユニット２２の外周面を覆うまち地２９ａと、上記スプリングユニット２１の上面と下面をそれぞれ覆う上鏡地２９ｂおよび下鏡地２９ｃとからなり、各鏡地２９ｂ、２９ｃの周辺部は上記まち地２９ａの上下端部にそれぞれテ−プ３１によって縫合されている。
【００３５】
上記各鏡地２９ｂ、２９ｃの内面周辺部にはフランジ布３２の一端が縫合されている。各フランジ布３２の他端はスプリングユニット２１の外周面に導かれ、クリップ３３によって樽形コイルスプリング２２に連結されている。それによって、フランジ布３２は保護シ−ト２６と弾性部材２７とがスプリングユニット２１上でずれ動くのが阻止されているとともに、外装体２８が上記スプリングユニット２１に対してずれ動くのも阻止している。
【００３６】
このように構成されたマットレス装置２０が用いられた起床式ベッド１によれば、マットレス装置２０上に仰臥した利用者の上半身を起こすために駆動装置１６を作動させ、第１の床板部４ａを起上させると、その起上に応じて床板４上のマットレス装置２０が長手方向中途部から湾曲される。
【００３７】
上記マットレス装置２０を構成するスプリングユニット２１は樽形コイルスプリング２２からなり、これら樽形コイルスプリング２２は軸線方向の中途部だけがヘリカル線２３によって連結されている。しかも、スプリングユニット２１の上下面の周縁部の長手方向両側の中途部には、枠線２４が設けられていない開放部２５が形成されている。
【００３８】
そのため、スプリングユニット２１は、第１の床板部４ａの起上に応じて枠線２４に阻止されることなく、上記開放部２５の箇所に位置する隣り合う樽形コイルスプリング２２がヘリカル線２３によって連結された箇所を支点として揺動するから、大きな反力を発生することなく容易かつ確実に湾曲させることができる。
【００３９】
しかも、樽形コイルスプリング２２は軸線方向中途部が最も大径で、上下端部にゆくにつれて小径となる形状である。そのため、スプリングユニット２１は、隣り合う樽形コイルスプリング２２の上下端面がぶつかるまでの範囲内で揺動可能であるから、その範囲内では大きな反力が生じることなく容易かつ確実に湾曲させることができる。
【００４０】
さらに、スプリングユニット２１の上下面に積層された保護シ−ト２６を、樽形コイルスプリング２２の上下端面に接着剤によって固定したり、その周辺部をスプリングユニット２１の周辺部に位置する樽形コイルスプリング２２の上下端面にクリップで連結するようにした。
【００４１】
そのため、スプリングユニット２１の樽形コイルスプリング２２が軸線方向中途部だけしか連結されていなくとも、上記保護シ−ト２６により樽形コイルスプリング２２の上下端部がマットレス装置２０に加わる外力によって振れるのを規制することができるから、マットレス装置２０上に仰臥した利用者を安定した状態で支持することができる。
【００４２】
図６はこの発明の第２の実施の形態を示す。この実施の形態は、スプリングユニット２１の上下面に弾性部材２７を保護シ−ト２６を介さずに直接、積層させるとともに、この弾性部材２７の上記スプリングユニット２１と接合する面には樽形コイルスプリング２２の上下端部が入り込む凹部２７ａが形成されている。この凹部２７ａは個々の樽形コイルスプリング２２の端部形状に対応する円形状やスプリングユニット２１の幅方向あるいは長手方向に沿う溝形状など、どちらの形状であっても差し支えない。
【００４３】
弾性部材２７に凹部２７ａを形成し、その凹部２７ａに樽型コイルスプリング２２の端部を係合させれば、上記第１の実施の形態のように保護シ−ト２６を用いなくとも、樽型コイルスプリング２２が軸線方向と交差する方向に不用意に振れるのを規制することができる。
【００４４】
図７はこの発明の第３の実施の形態で、この実施の形態は図６に示す第２の実施の形態とほぼ同じであるが、スプリングユニット２１の上面に積層される弾性部材２７にだけ凹部２７ａが形成され、下面に積層される弾性部材２７には凹部２７ａが形成されていないという点で相違している。
【００４５】
下面側の弾性部材２７に凹部２７ａを形成せずに、上面側の弾性部材２７だけに凹部２７ａを形成するだけであっても、ヘリカル線２３によって軸線方向の中途部だけが連結された樽形コイルスプリング２２の上端側が保持されることで、上記樽形コイルスプリング２２が振れるのを規制することができる。
【００４６】
また、この発明は上記各実施の形態に限定されず、たとえばスプリングユニットの上面側だけに弾性部材を設け、下面側には設けない構成であっても差し支えない。
【００４７】
【発明の効果】
請求項１の発明によれば、スプリングユニットを、樽形コイルスプリングを行列状に配置するとともに隣り合う樽形コイルスプリングの軸線方向中途部を連結部材で連結して形成するようにした。
【００４８】
そのため、隣り合う樽形コイルスプリングは連結箇所を支点として上下の端面がそれぞれぶつかるまでの範囲で揺動可能となるから、その範囲内でスプリングユニットを容易かつ確実に屈曲させることができる。
【００４９】
請求項２の発明によれば、スプリングユニットの上下面の周縁部の長手方向中途部の少なくとも一部を除く部分に枠線を設けるようにした。
そのため、スプリングユニットは、枠線によって周辺部の形状や硬さの維持を計ると同時に、長手方向中途部の枠線が設けられていない箇所で容易かつ確実に屈曲させることができる。
【００５０】
請求項３の発明によれば、スプリングユニットに積層される弾性部材に樽形コイルスプリングの端部が入り込む凹部を形成し、この弾性部材によって樽形コイルスプリングを保持するようにした。
【００５１】
そのため、上記樽形コイルスプリングが軸線方向の中途部だけしか連結されていなくとも、上記弾性部材によって軸線方向と交差する方向に振れるのを抑制することができるから、マットレス装置上に仰臥した利用者を安定した状態で支持することが可能となる。
【図面の簡単な説明】
【図１】この発明の第１の実施の形態を示すマットレス装置の一部断面した側面図。
【図２】同じくマットレス装置の一部断面した平面図。
【図３】（ａ）、（ｂ）は同じくスプリングユニットの平面図。
【図４】同じく樽形コイルスプリングの斜視図。
【図５】同じくこの発明のマットレス装置が用いられた起床式ベッドの側面図。
【図６】この発明の第２の実施の形態を示すマットレス装置の一部断面した側面図。
【図７】この発明の第３の実施の形態を示すマットレス装置の一部断面した側面図。
【符号の説明】
２１…スプリングユニット
２２…樽形コイルスプリング
２３…ヘリカル線（連結部材）
２４…枠線
２７…弾性部材
２７ａ…凹部
２８…外装体
【図１】
0003579213.tif 000002
【図２】
0003579213.tif 000003
【図３】
0003579213.tif 000004
【図４】
0003579213.tif 000005
【図５】
0003579213.tif 000006
【図６】
0003579213.tif 000007
【図７】
0003579213.tif 000008